(57)【要約】【課題】寝たきりになり布団の重みでつま先が真っ直ぐに伸びてアキレス腱が縮んだまま固まってしまった要介護者を、車椅子に乗せて移動可能にする。【解決手段】それぞれくの字に折曲された上板片６および下板片７をヒンジ８で連結し、上板片６および下板片７を車椅子１の足乗せ部２に上下から挟圧して、パチン錠１２で固定する。上板片６表面に絡合片１７，１８、スペーサ１６，絡合片２１，２２を介して、つま先挿入用の袋部２３および足の甲を支える締め付け片２５を備えた足挿入部４を着脱自在に取り付ける。【選択図】　図２
2004097457.tif 000002
【特許請求の範囲】
【請求項１】
車椅子の前部左右に設けられた足乗せ部に挿入方向を斜め前下方にした足挿入部を取り付けたことを特徴とする車椅子の足乗せ補助具。
【請求項２】
それぞれくの字に折曲された上板片および下板片と、
上板片および下板片の一端に取り付けられ上板片および下板片を開閉自在に連結するヒンジと、
上板片および下板片の他端側に形成され上板片および下板片の内側に貼着した弾性材を介して車椅子の足乗せ部を上下から挟圧保持する取り付け部と、
この取り付け部とヒンジの中間部の上板片と下板片の間に装着され取り付け部が足乗せ部を挟圧している状態で下板片側からロックされるパチン錠と、
ヒンジと取り付け部の中間の上板片表面に絡合片を介して着脱自在に保持される足挿入部と、
を備えたことを特徴とする車椅子の足乗せ補助具。
【請求項３】
前記足挿入部と上板片の間に、弾性材からなる楔状のスペーサを絡合片を介して挟着したことを特徴とする請求項２記載の車椅子の足乗せ補助具。
【請求項４】
前記足挿入部の左右両側にそれぞれ締め付け片を取り付けておき挿入された足の甲部分を締め付け片で交互に覆い互いに絡合片で吸着することを特徴とする請求項２または３記載の車椅子の足乗せ補助具。
【発明の詳細な説明】
【０００１】
【発明の属する技術分野】
本発明は、病院や介護施設等で寝たきりになった要介護者を移動させる場合に用いる車椅子の足乗せ補助具に関する。
【０００２】
【従来の技術】
病院や介護施設等で要介護者が寝たきりになり、布団の重みでつま先が真っ直ぐになってアキレス腱が縮んだまま固まってしまう場合がある。このような要介護者を車椅子で移動させようとすると、足首が伸びて足底が脛とほぼ平行になっているので、車椅子の足乗せ部分に足底を乗せて下肢を支えることが出来ず、しかも足乗せ部分の先端にアキレス腱の部分が当たり痛みを感じることになる。そのため、足を足乗せ部分に乗せることができず、床に落ちてしまい、車椅子を用いることができなかった。
【０００３】
【発明が解決しようとする課題】
そこで、本発明は、寝たきりのためアキレス腱が縮みつま先が真っ直ぐに伸びた要介護者を、車椅子に正常に乗せて移動させることを可能にした車椅子の足乗せ補助具を提供することを課題とする。
【０００４】
【課題を解決するための手段】
上記課題を解決するために、請求項１の発明は、車椅子の前部左右に設けられた足乗せ部に挿入方向を斜め前下方にした足挿入部を取り付けたことを特徴とする。
【０００５】
請求項２の発明は、それぞれくの字に折曲された上板片および下板片と、上板片および下板片の一端に取り付けられ上板片および下板片を開閉自在に連結するヒンジと、上板片および下板片の他端側に形成され上板片および下板片の内側に貼着した弾性材を介して車椅子の足乗せ部を上下から挟圧保持する取り付け部と、この取り付け部とヒンジの中間部の上板片と下板片の間に装着され取り付け部が足乗せ部を挟圧している状態で下板片側からロックされるパチン錠と、ヒンジと取り付け部の中間の上板片表面に絡合片を介して着脱自在に保持される足挿入部とを備えたことを特徴とする。
【０００６】
請求項３の発明は、請求項２の発明において、前記足挿入部と上板片の間に、弾性材からなる楔状のスペーサを絡合片を介して挟着したことを特徴とする。
【０００７】
請求項４の発明は、請求項２または３の発明において、前記足挿入部の左右両側にそれぞれ締め付け片を取り付けておき挿入された足の甲部分を締め付け片で交互に覆い互いに絡合片で吸着することを特徴とする。
【０００８】
【発明の実施の形態】
以下、図に基づいて本発明の実施形態を説明する。図１は本発明に係る車椅子の足乗せ補助具を、車椅子に取り付けて使用している状態を示す図である。車椅子１の前部の左右に足乗せ部２があり、通常はこの足乗せ部２に足を乗せることで下肢を支えている。しかしながら、寝たきりになり、布団の重みでつま先が真っ直ぐに伸びてアキレス腱が縮んだまま固まってしまった要介護者は、車椅子に乗せて移動しようとする場合、この足乗せ部２に足を乗せることができない。そこで、本発明は、足乗せ部２に足乗せ補助具３を取り付け、足乗せ補助具３の前部に形成されている足挿入部４に、足５をつま先から挿入して支持するようにした。
【０００９】
図２は足乗せ補助具３を足乗せ部２に取り付けた状態を示す側面図であり、図３は足乗せ補助具３を分解した状態を示す側面図である。図示されるように、足乗せ補助具３は、それぞれくの字に折曲された上板片６および下板片７が、左端でヒンジ８により開閉自在に連結されている。上板片６および下板片７は、右端内側にウレタンのスポンジ板９，１０が貼着され、上板片６および下板片７が閉じられたとき、足乗せ部２を上下から挟圧する。上板片６の左側下面にはパチン錠の止め金具１１が取り付けられ、下板片７の右側下面にはパチン錠の本体１２が取り付けられ、上板片６と下板片７が閉じられたとき、下板片７の折曲部中央に形成された孔１３を通してパチン錠本体１２が止め金具１１を係止して、上板片６および下板片７は足乗せ部２を挟圧し固定される。
【００１０】
また、上板片６の上面には、ウレタンのスポンジ板１４が貼着され、その上の右側途中から左端までに、左端に行くほど薄くなるテーパを形成したスポンジ板１５が貼着されている。さらに、スポンジ板１５の上面には、前端が薄く後端が厚い楔状のテーパを形成したウレタンスポンジからなるスペーサ１６が絡合片１７，１８を介して着脱自在に取り付けられている。また、スペーサ１６の上面には、足挿入部４が絡合片２１，２２を介して着脱自在に取り付けられている。足挿入部４は、つま先が挿入される袋部２３と、足の甲の部分を両側から押さえ絡合片２４で固定する締め付け片２５と、踵を支える踵当て部２６とから構成されている。この足乗せ補助具３は、車椅子１の前部足元の左右に設けられている足乗せ部２にそれぞれ取り付けられる。
【００１１】
このように構成された足乗せ補助具３を使用する場合は、上板片６と下板片７を開いた状態で車椅子の足乗せ部２に当ててから、上板片６と下板片７を閉じ、パチン錠本体１２を止め金具１１に係止することで、足乗せ補助具３を足乗せ部２に固定する。次に、車椅子に乗せる要介護者のつま先の曲がりの程度がひどい場合は、上板片６にスペーサ１６を介して足挿入部４を取り付ける。つま先の曲がりの程度がそれ程でもない場合は、スペーサ１６を用いないで直接上板片６に足挿入部４を取り付ける。なお、つま先の曲がりが特にひどい場合は、スペーサ１６を二段に重ねることも可能である。こうして、足挿入部４が取り付けられたら、締め付け片２５を開いて、袋部２３に要介護者のつま先を挿入し、足の甲の部分を締め付け片２５で覆いその先端を絡合片２４で固定する。
【００１２】
【発明の効果】
以上述べたように本発明によれば、車椅子の足乗せ部に挿入方向を斜め前下方にした足挿入部を取り付けたことで、つま先が真っ直ぐになってアキレス腱が縮んだまま固まってしまった要介護者を車椅子に乗せて運ぶ場合に、足挿入部につま先から足を挿入することで下肢が支持されることになり、介護者一人での移送が可能となる。
また、足挿入部のところに楔状のスペーサを絡合片を介して挟着することで、固まってしまった足の形状・向きに応じて足を保持することが可能となる。
さらに、足挿入部に絡合片で吸着する締め付け片を備えたことで、足の保持固定が確実となる。
またさらに、本発明の足乗せ補助具は、車椅子の足乗せ部に着脱自在であるため、使用する時だけ車椅子に装着し、不要な場合は外して、車椅子を通常の用途に使用することが可能である。
【図面の簡単な説明】
【図１】本発明に係る足乗せ補助具の使用している状態を示す図である。
【図２】足乗せ補助具を足乗せ部に取り付けた状態を示す側面図である。
【図３】足乗せ補助具を分解した状態を示す側面図である。
【符号の説明】
１　車椅子
２　足乗せ部
３　足乗せ補助具
４　足挿入部
５　足
６　上板片
７　下板片
８　ヒンジ
９，１０　スポンジ板
１１　パチン錠の止め金具
１２　パチン錠の本体
１３　孔
１４，１５　スポンジ板
１６　スペーサ
１７，１８，２１，２２　絡合片
２３　袋部
２４　絡合片
２５　締め付け片
２６　踵当て部
【図１】
2004097457.tif 000003
【図２】
2004097457.tif 000004
【図３】
2004097457.tif 000005